(57)【要約】      （修正有）【課題】耳たぶの下方、特に耳たぶの下端から耳たぶ前面に突き出すように配置された装飾体を備え、キャッチが全体の装飾性を損なうことのない取換え可能な二つの装飾体を備えたピアスイヤリングを提供する。【解決手段】ピアスイヤリングは、少なくとも耳たぶ１０１に設けたピアス用孔１０２から耳たぶの下端より下部まで伸びる長さのイヤリング本体１１を備え、イヤリング本体の上端にはピアス用のピン１２が、また下端には装飾体１５を着脱可能に取り付けられる着脱ピン１３が配設され、ピアス用のピンにはピンが貫通しないで抜け止めする装飾性のあるキャッチ１４が着脱可能に取り付けられ、着脱ピンにはピンが貫通しないで抜け止めする装飾体が着脱可能に取り付けられる。【選択図】図２
0003225162.tif 000002
【実用新案登録請求の範囲】
【請求項１】
少なくとも耳たぶに設けたピアス用孔から耳たぶの下端より下部まで伸びる長さのイヤリング本体を備え、該イヤリング本体の上端にはピアス用のピンが、また前記イヤリング本体の下端には装飾体を着脱可能に取り付けられる着脱ピンが配設されていて、
前記ピアス用のピンには該ピンが貫通しないで抜け止めする装飾性のあるキャッチが着脱可能に取り付けられ、前記着脱ピンには該ピンが貫通しないで抜け止めする装飾体が着脱可能に取り付けられるようになっていることを特徴とする取換え可能な二つの装飾体を備えたピアスイヤリング。
【請求項２】
前記イヤリング本体の上端に配設したピアス用のピンが、装飾性のあるキャッチ内に内蔵した抜け止め手段により抜け止めされることを特徴とする請求項１に記載の取換え可能な二つの装飾体を備えたピアスイヤリング。
【請求項３】
前記イヤリング本体の下端に配設した装飾体を着脱可能に取り付けられる着脱ピンが、前記耳たぶよりも前面において前記イヤリング本体端部に配置されていることを特徴とする請求項１または２に記載の取換え可能な二つの装飾体を備えたピアスイヤリング。
【請求項４】
前記ピアス用のピンないし着脱ピンが、先端外周に凹溝を形成されていることを特徴とする請求項１ないし３のいずれかに記載の取換え可能な二つの装飾体を備えたピアスイヤリング。
【考案の詳細な説明】
【技術分野】
【０００１】
本考案は、ピアスイヤリングに関し、より詳細には上下に一対の装飾体を備えており、かつ前記二つの装飾体を取換え可能としたピアスイヤリングに関するものである。
【背景技術】
【０００２】
ピアスイヤリングは耳たぶから落ちにくいという意味で非常に有用なものであるが、耳たぶの片側においてピアス用ピンを挿通し、耳たぶから落ちないようにするピアス用止め具（以下キャッチと称する）は金具であるため、装飾性に富むものではなかった。
また、丸玉やその他の形状を有し、その内部にピアス用ピンを挟着して保持する抜け止め手段が配設されたイヤリングも提案されているが、前記丸玉を装飾性のあるものにすることは難しく、さらにイヤリング本体の他の位置に装飾体を取り付けたものにおいても、前記キャッチの存在がその装飾性を損なってしまうという問題があった。
そのような例としては特開平７−１２４００９号公報（特許文献１参照）や、実開昭５７−１７１７１５号公報（特許文献２参照）が知られている。
【先行技術文献】
【特許文献】
【０００３】
【特許文献１】特開平７−１２４００９号公報
【特許文献２】実開昭５７−１７１７１５号公報
【考案の概要】
【考案が解決しようとする課題】
【０００４】
本考案はピアス用ピンを挿通するキャッチそのものに装飾性を持たせるとともに、耳たぶの下方、特に耳たぶの下端から耳たぶ前面に突き出すように配置された装飾体を備え、かつ前記キャッチが全体の装飾性を損なうことのない取換え可能な二つの装飾体を備えたピアスイヤリングを提供することをその課題とする。
【課題を解決するための手段】
【０００５】
本考案の取換え可能な二つの装飾体を備えたピアスイヤリングは、少なくとも耳たぶに設けたピアス用孔から耳たぶの下端より下部まで伸びる長さのイヤリング本体を備え、該イヤリング本体の上端にはピアス用のピンが、また前記イヤリング本体の下端には装飾体を着脱可能に取り付けられる着脱ピンが配設されていて、
前記ピアス用のピンには該ピンが貫通しないで抜け止めする装飾性のあるキャッチが着脱可能に取り付けられ、前記着脱ピンには該ピンが貫通しないで抜け止めする装飾体が着脱可能に取り付けられるようになっていることを特徴とするものである。
【０００６】
本考案の取換え可能な二つの装飾体を備えたピアスイヤリングにおいて、前記イヤリング本体の上端に配設したピアス用のピンが、装飾性のあるピアスキャッチ内に内蔵した抜け止め手段により抜け止めされることをも特徴とするものである。
【０００７】
本考案の取換え可能な二つの装飾体を備えたピアスイヤリングにおいて、前記イヤリング本体の下端に配設した装飾体を着脱可能に取り付けられる着脱ピンが、前記耳たぶよりも前面において前記イヤリング本体端部に配置されていることをも特徴とするものである。
【０００８】
本考案の取換え可能な二つの装飾体を備えたピアスイヤリングにおいて、前記ピアス用のピンないし着脱ピンが、先端外周に凹溝を形成されていることをも特徴とするものである。
【考案の効果】
【０００９】
本考案の取換え可能な二つの装飾体を備えたピアスイヤリングは、前記イヤリング本体上端のピアス用ピンに取り付けるピアスキャッチに装飾性を持たせて着脱自在としただけでなく、前記イヤリング本体の下端に配設する装飾体を着脱ピンにより着脱自在としたものであり、リバーシブルにも、また装飾性のあるピアス用キャッチやイヤリング本体の下端に配設する装飾体を季節やその時々のファッション等に合わせて選ぶことができ、長年にわたってその価値が失われることはない。
【図面の簡単な説明】
【００１０】
【図１】本考案の取換え可能な二つの装飾体を備えたピアスイヤリングの第１実施例を示すものであり、（ａ）は上下で長さを異ならせたコ字状のイヤリング本体に適用した場合の概略側面図、（ｂ）はその概略斜視図である。
【図２】（ａ）は上下のピアス用ピンと着脱ピンに装飾性のあるキャッチと装飾体とをそれぞれ装着した状態の概略側面図、（ｂ）はその概略斜視図である。
【図３】本考案の取換え可能な二つの装飾体を備えたピアスイヤリングの第２実施例を示すものであり、（ａ）は縦方向の部位を下向きに後傾させたイヤリング本体に適用した場合の概略側面図、（ｂ）はその概略斜視図である。
【図４】（ａ）は上下のピアス用ピンと着脱ピンに装飾性のあるキャッチと装飾体とをそれぞれ装着した状態の概略側面図、（ｂ）はその概略斜視図である。
【図５】本考案の取換え可能な二つの装飾体を備えたピアスイヤリングの第３実施例を示すものであり、（ａ）は縦方向の部位を円弧状に湾曲させたイヤリング本体に適用した場合の概略側面図、（ｂ）はその概略斜視図である。
【図６】（ａ）は上下のピアス用ピンと着脱ピンに装飾性のあるキャッチと装飾体とをそれぞれ装着した状態の概略側面図、（ｂ）はその概略斜視図である。
【考案を実施するための形態】
【００１１】
本考案の取換え可能な二つの装飾体を備えたピアスイヤリングの好ましい実施例を添付図面に基いて詳細に説明する。
【００１２】
本考案の取換え可能な二つの装飾体を備えたピアスイヤリングの第１実施例においては、図１および図２に示すように、耳たぶ１０１に設けたピアス用孔１０２の位置から耳たぶ１０１の下端よりも下部にまで伸びる縦方向の長さを備えたコ字状のイヤリング本体１１を備えている。そして前記コ字状のイヤリング本体１１の水平に伸びる上水平部材１１ａは短く、下水平部材１１ｂは長く形成されている。
そして、前記イヤリング本体１１の上水平部材１１ａの先端にはピアス用のピン１２が、また前記イヤリング本体１１の下水平部材１１ｂには装飾体を着脱可能に取り付けられる着脱ピン１３が配設されている。
【００１３】
なお、１４は前記ピアス用のピン１２を挿通して抜け止めされる球状のキャッチであり、また１５は前記着脱ピン１３を挿通して抜け止めされる球状の装飾体である。
その上で、前記ピアス用のピン１２には該ピン１２が貫通しないで抜け止めする装飾性のあるキャッチ１４が着脱可能に取り付けられ、前記着脱ピン１３には該ピン１３が貫通しないで抜け止めする装飾体１５が着脱可能に取り付けられている。
なお、前記ピアス用のピン１２が貫通しないで抜け止めする装飾性のあるキャッチ１４や、前記着脱ピン１３が貫通しないで抜け止めする装飾体１５の具体的な構造は、従来周知の抜け止め手段を採用することができる。
【００１４】
その抜け止め手段としては以下のような例が知られている。
１）前記キャッチ１４や装飾体１５の中空部を形成し、その中空部にピンの挿通孔を開けたシリコンゴム等を充填したもの。
２）前記中空部に金属製の平板を丸めて製作した板バネ式の挟着部材を内蔵させたもの。
３）前記中空部に金属製の縦にスリットを形成した筒状部材で製作した筒状のバネ式の挟着部材を内蔵させたもの。
【００１５】
なお、前記イヤリング本体１１の上端に配設したピアス用のピン１２ないし着脱ピン１３には、先端外周に凹溝１２ａないし１３ａを形成しておくことが望ましい。
【００１６】
本考案の取換え可能な二つの装飾体を備えたピアスイヤリングの第２実施例においては、図３および図４に示すように、耳たぶ１０１に設けたピアス用孔１０２の位置から耳たぶ１０１の下端よりも下部にまで伸びる縦方向の長さを備えたコ字状のイヤリング本体２１を備えている。この実施例では、縦方向の部位を下向きに後傾させてあり、そしてイヤリング本体２１の水平に伸びる上水平部材２１ａはやや長く、下水平部材２１ｂは短くあるいはほぼ存在しないように形成されている。
そして、前記イヤリング本体２１の上水平部材２１ａの先端にはピアス用のピン２２が、また前記イヤリング本体２１の下水平部材２１ｂには装飾体を着脱可能に取り付けられる着脱ピン２３が配設されている。
【００１７】
なお、２４は前記ピアス用のピン２２を挿通して抜け止めされる球状のキャッチであり、また２５は前記着脱ピン２３を挿通して抜け止めされる球状の装飾体である。
その上で、前記ピアス用のピン２２には該ピン２２が貫通しないで抜け止めする装飾性のあるキャッチ２４が着脱可能に取り付けられ、前記着脱ピン２３には該ピン２３が貫通しないで抜け止めする装飾体２５が着脱可能に取り付けられている。
なお、前記イヤリング本体２１の上端に配設したピアス用のピン２２ないし着脱ピン２３には、先端外周に凹溝２２ａないし２３ａを形成しておくことが望ましい。
【００１８】
本考案の取換え可能な二つの装飾体を備えたピアスイヤリングの第３実施例においては、図５および図６に示すように、耳たぶ１０１に設けたピアス用孔１０２の位置から耳たぶ１０１の下端よりも下部にまで伸びる縦方向の長さを備えた円弧状のイヤリング本体３１を備えている。そしてイヤリング本体３１の水平に伸びる上水平部材３１ａと下水平部材３１ｂとは短くあるいはほぼ存在しないように形成されている。
そして、前記イヤリング本体３１の上水平部材３１ａの先端にはピアス用のピン３２が、また前記イヤリング本体３１の下水平部材３１ｂには装飾体を着脱可能に取り付けられる着脱ピン３３が配設されている。
【００１９】
なお、３４は前記ピアス用のピン３２を挿通して抜け止めされる球状のキャッチであり、また３５は前記着脱ピン３３を挿通して抜け止めされる球状の装飾体である。
その上で、前記ピアス用のピン３２には該ピン３２が貫通しないで抜け止めする装飾性のあるキャッチ３４が着脱可能に取り付けられ、前記着脱ピン３３には該ピン３３が貫通しないで抜け止めする装飾体３５が着脱可能に取り付けられている。
なお、前記イヤリング本体３１の上端に配設したピアス用のピン３２ないし着脱ピン３３には、先端外周に凹溝３２ａないし３３ａを形成しておくことが望ましい。
【００２０】
本考案の取換え可能な二つの装飾体を備えたピアスイヤリングは、前記イヤリング本体上端のピアス用ピンに取り付けるピアスキャッチに装飾性を持たせて着脱自在としただけでなく、前記イヤリング本体の下端に配設する装飾体を着脱ピンにより着脱自在としたものであり、リバーシブル（前面・後面）に使用可能なイヤリングとして使用することができる。
また装飾性のあるピアス用キャッチやイヤリング本体の下端に配設する装飾体を季節やその時々のファッション等に合わせて選ぶことができ、長年にわたってその価値が失われることはない。
【産業上の利用可能性】
【００２１】
上述したところでは、本考案の取換え可能な二つの装飾体を備えたピアスイヤリングをピアスイヤリングに適用した例について説明したが、その他の装身具にも好適に利用することができ、従来にない高級感、装飾性に富んだピアスイヤリング等が得られる。
【符号の説明】
【００２２】
１１  イヤリング本体
１１ａ  上水平部材
１１ｂ  下水平部材
１２  ピアス用のピン
１２ａ  凹溝
１３  着脱ピン
１３ａ  凹溝
１４  キャッチ
１５  装飾体
２１  イヤリング本体
２１ａ  上水平部材
２１ｂ  下水平部材
２２  ピアス用のピン
２２ａ  凹溝
２３  着脱ピン
２３ａ  凹溝
２４  キャッチ
２５  装飾体
３１  イヤリング本体
３１ａ  上水平部材
３１ｂ  下水平部材
３２  ピアス用のピン
３２ａ  凹溝
３３  着脱ピン
３３ａ  凹溝
３４  キャッチ
３５  装飾体
１０１  耳たぶ
１０２  ピアス用孔
【図１】
0003225162.tif 000003
【図２】
0003225162.tif 000004
【図３】
0003225162.tif 000005
【図４】
0003225162.tif 000006
【図５】
0003225162.tif 000007
【図６】
0003225162.tif 000008